(57)【要約】【課題】小型軽量で効果が高く、子供から年配者まで使用者に応じた調整が出来使い心地がよく指圧効果も有り、携帯にも適し更に、運動機能以外の便利な機能も有し、日常的に気軽に使用出来る、多機能握力トレーニング器具を提供する。【解決手段】中心軸の２重パイプの一方にストッパー、もう一方にフィンガーフックを設け、その間にスプリングを設置し、本品を握りスプリングを圧縮、伸張する方式とした。その際、ストッパーにより掌に適度な指圧効果を得られる構造とし、更にスパンとスプリングのアジャスト部を設け、また、４本指アタッチメント、強化スプリングとの換装も出来、様々な使用者の好みに合わせた調整を可能にした。また、握力トレーニング機能以外の機能としてボールペン、シャープペン、拡大鏡、ドライバー、鏡、ツボ押し棒、ランプなど、様々な用途に応じた物を搭載させ、また、一部それらが交換可能なタイプも有る事を特徴とする。【選択図】図１
2004290250.tif 000002
【特許請求の範囲】
【請求項１】
軸となる２重のシャフトの一方に設けたストッパーと、もう一方のシャフトに設けた指のフック部との間にスプリングを設置し、本品を手で握り、開くを繰り返す事で、そのスプリングを圧縮、伸張させ、握力のトレーニングを行う握力トレーニング器具。
【請求項２】
本品を握る毎に、掌の好みの位置に、適度な指圧効果を得る事の出来る握力トレーニング器具。
【請求項３】
軸となるシャフトの一方にボールペンやシャープペン、拡大鏡、ドライバー、鏡、ツボ押し棒、ライトなどの様々な機能を持たせた、もしくは、それらが交換可能な握力トレーニング器具。
【請求項４】
使用者が任意に指のフックとストッパーとの距離と、スプリングの強さを調整する事が出来る握力トレーニング器具。
【発明の詳細な説明】
【０００１】
【発明の属する技術分野】
本発明は、小型で軽量、更に、安価で日常の携帯に適し、使用毎に指圧効果も得られ、使用者の手の大きさや、握力に合わせた好みの調整の出来る調整機能付きの、握力トレーニング以外の機能も有する、握力トレーニング器具に関する。
【０００２】
【従来の技術】従来、種々の握力トレーニング器具は有るが、一般に良く見られるＶ字型の巻きバネ式の物などのように、小型の物は少なく、日常携帯するには適していない物はあった。また、使用者の手のサイズに応じたスパンやバネ力を調整出来る小型の物は無く、子供から年配者まで、自分の好みの調整が出来て、心地よく気軽に使用出来る物は少なかった。また、弾性のあるシリコンボール等のボールを握るタイプのように、小型ではあるが、手指をかなり曲げた状態から、更に握るといった、手指を動かすストロークが短い、効果の薄いタイプの物はあったが、小型で手指を動かすストロークの長い効果的な物は無かった。また、握力トレーニング以外の機能は持っていない物はあった。
【０００３】
【発明が解決しようとする課題】従来の握力トレーニング器具は、小型の物が少なく、日常の携帯に適していない。また、一部の小型の物は、手指をかなり曲げた状態から、更に握るといった、手指を動かすストロークが短い、効果の薄いタイプの物であった。また、使用者の手のサイズや握力に合わせた好みの調整が出来ない。更に、握力トレーニング以外の機能が無い為、普段から身につける理由が無く、日常携帯していて、何時、何処でも日常的に握力トレーニングを行うという特性の物では無かった。また、年配者の使用に適した物が無かった。本発明は、以上のような欠点をなくすためになされたものである。
【０００４】
【課題を解決するための手段】上述した目的を達成する為にこの発明は、まず、中心軸となる２重のパイプの細パイプ後端にストッパーを設け、もう一方の太パイプ後端に指のフック部を設け、それらの間にスプリングを設置した。そして、それを、片手で保持し、手を握ったり開いたりする事でスプリングを圧縮、伸張する方式とする事で小型軽量にした。更にその際、ストッパー部を掌の好みの位置、例えば親指の付け根等にあてがう為、本品を握る毎に、掌の好みの位置に、適度な指圧効果を得る事の出来る物とした。更に、手の大きい人から小さい人まで、さらには、握力が強い人から弱い人まで、違和感無く使用出来るように、使用者が任意に、指のフック部とストッパー部との距離と、また、スプリングの強さを調整する事が出来る方式とした。更に、より多くの指をフックする事が出来る、指のフックのアタッチメントや、強化スプリングも、換装出来る方式とし、子供から年配者まで、更に広い範囲での、好みの調整が出来るものとした。
【０００５】この発明は更に、軸となる２重パイプの太パイプ側にボールペンやシャープペン、拡大鏡、ドライバー、鏡、ツボ押し棒、ランプなど、様々な用途に応じた種々の物を搭載した数種類を設けた、また、一部それらが脱着、交換可能な方式の物も設けた。それにより、握力トレーニング以外にも使用出来る、便利で実用的な要素が加わり、日常的に携帯する事に対する違和感の無い、携帯する意味のある物とした。
【実施例】
以下、本発明の一実施例を図面の符号も用いて説明する。
【０００６】図１は、本発明の一実施例を示し、その他の機能としてボールペンを搭載した状態を示します。本品は、図のような形状をしており、金属により形成された６のシリンダーにプラスティックにより形成された８のフィンガーフックが固定されており、金属により形成された７のスライドシャフトにプラスティックにより形成された１１のスパンアジャスターが固定されており、その間に金属製の９のスプリングが設けられています。また、保持使用方法一例として、本品は片手で保持し、８のフィンガーフックに親指以外の手指をフックし、プラスティックにより形成された１２のストッパーを掌にあてがい、手を握る、開らくの動作を繰り返し、この９のスプリングを圧縮、伸張を繰り返す事で握力トレーニングを行う。本品は、上記のような構造となる為、非常に小型で、軽量であり、携帯にも適します。尚上記６，７，８，９，１１，１２，は、いずれも使用に際し十分な強度を満たす物であれば材料に限定は無い。
【０００７】更に本品は、１１のスパンアジャスターにより使用者の手の大きさに合わせた調整が可能となっており、８のフィンガーフックと１１のスパンアジャスターとの距離を使用者が使い易い好みの距離に任意に設定する事が出来ます。更に、１０のスプリングアジャスト部により、こちらも使用者の握力に合わせ、スプリングの強さを使い易い好みの強さに任意に設定する事が出来ます。これにより本品は、手の大きさや、握力等、使用者の好みに合わせた任意の調整が可能な握力トレーニング器具となり、子供から、年配者まで、広い範囲で、違和感無く使用出来る、非常に使い心地が良い物となります。
【０００８】また、図１のボールペン部は、２のボールペンケースキャップを外す事で、５のインクケースの交換が可能となっています。また、１のボールペンコア保護用に１４のフッカー付きのキャップ１３も付属する。これにより本品は、通常のボールペンとして使用出来、便利で実用的であるので日常的に携帯する事に違和感がありません。また、ボールペンとして仕事や、勉強等で使用する際に、この握力トレーニングは、ちょうど良いストレス解消となります。
【０００９】次に、図５は、本品の保持使用方法の一例を示し、図１の８のフィンガーフックに人差し指と中指をフックし、図１の１２のストッパーを親指付け根の好みの位置にあてがい、人差し指と中指を曲げ、８のフィンガーフックを、９のスプリングを圧縮しながら、１１のスパンアジャスター側に引き寄せて，戻します。この動きを繰り返す事で、握力のトレーニングをします。また、この際１２のストッパーにより親指の付け根に適度な指圧効果があり使用者は、心地よい刺激を得る事ができます。尚、８のフィンガーフックにフックする指は、どの指を用いても良い。また、図６は、親指のスイングに負荷を架ける際の本品の保持使用方法の一例を示すものである。
【００１０】更に、図７は各種の追加アタッチメントを示し、プラスティックにより形成された１５のフィンガーフックアタッチメントを、図１の８のフィンガーフックにボールペン側より通して被せる事で、人差し指、中指、薬指、小指と指を四本共フックした状態で、使用出来るようになります。更に金属製の１６の強化スプリングと９のスプリングは、交換することが出来ます。この１６の強化スプリングにより、強いスプリング反発力が得られ、図１の９の標準のスプリングの調整範囲より、更に強いスプリング反発力を望む使用者にも対応する事が出来ます。また、９のスプリングと１５のフィンガーフックアタッチメントとの組み合わせは、非常にソフトな使用感となり、逆に１６の強化スプリングと８の標準のフィンガーフックとの組み合わせは、非常にハードな使用感となります。これにより非常に広範囲の使用者の好みに対応する事が可能となります。尚、１６の強化スプリングの交換方法は、まず、８のフィンガーフックを廻し９のスプリングとの連結を一旦切り、７のスライドシャフトを６のシリンダーより一旦引き抜き、１１のスパンアジャスターより９のスプリングを外します。次に７のスライドシャフト先端側より１６の強化スプリングを入れ、再度、６のシリンダーに７のスライドシャフトを差込み、最後に８のフィンガーフックを廻して１６の強化スプリングを、１０のスプリングアジャスト部で調整しながら、固定するといった手順となります。尚，上記１５，１６，は、使用に際し十分な強度を満たす物であれば材料に限定は無い
【００１１】図８は、本発明の一実施例を示し、その他の機能として拡大鏡を搭載した状態を示します。折りたたまれた拡大鏡を好みに角度にして使用します。この拡大鏡タイプは、特に年配者が普段から身に付けておいて、いつでも、拡大鏡を便利に使用出来、空いた時間に気軽に握力トレーニングが行えるように、発明した物です。このように本品は、図１の６のシリンダー部にボールペン、シャープペン、拡大鏡、ドライバー、鏡、ツボ押し棒、ランプなど、様々な用途に応じた種々の物を搭載した数種類が有ります。また、一部それらが交換可能な物も有ります。
【発明の効果】この発明は、以上のように構成したので次のような効果を成し得る。
【００１２】本発明は、上記のような構造となる為、従来に無い新しい形状の物であり、また、従来の物より小型で軽量となり、持ち運びや携帯にも適します。また、低コストで安価である。
【００１３】また、従来の比較的小型の握力トレーニング器具は、手指をかなり曲げた状態から、更に握る動作を繰り返すタイプであった為ストロークが無く、十分な手指の曲げ伸ばしが出来ず、あまり十分な効果が得られ無かったが、本品は、十分なスプリング圧縮のストロークが有り、かなり広範囲で手指の曲げ伸ばしが出来る為、小型で効果的である。
【００１４】また、本品は、図１の１１のスパンアジャスターを設けた事により使用者の手の大きさに合わせた調整が可能となっており、更に、スプリングアジャスト部により、こちらも使用者の握力に合わせ、スプリングの強さを使い易い好みの強さに任意に設定する事が出来ます。これにより本品は、手の大きさや、握力等、使用者の好みに合わせた任意の調整が可能となり、非常に使い心地がよい物となります。更に、子供から、年配者まで、広範囲で違和感無く使用出来る物となります。
【００１５】更にアタッチメントにより手指４本でのスプリング圧縮が、可能となり、更に強化スプリングとの換装も出来る為、本品の標準のスプリング調整範囲より、更に強いスプリング反発力を望む使用者にも対応する事が出来ます。また、標準スプリングと４本指用アタッチメントとの組み合わせは、非常にソフトな使用感となり、逆に強化スプリングと標準のフィンガーフックとの組み合わせは、非常にハードな使用感となります。これによりかなり広範囲の使用者に対応出来る物となります。
【００１６】また、本品は、スプリングを圧縮する際ストッパーが、掌に押し当てられ心地よい適度な指圧効果が得られます。
【００１７】また、本品は、握力トレーニング器具としてだけでなく、更にプラスアルファの便利な機能を持たせて有り、例えば、ボールペンタイプは、ボールペンとして使用出来、便利で実用的な為、日常的に携帯する事に違和感が無く、常に携帯し、日常的に握力トレーニングをする事が出来ます。また、ボールペンとして仕事や、勉強等で使用する際に、この握力トレーニングは、ストッパーによる指圧効果もてつだい、ちょうど良いストレス解消となります。また、その他の機能として拡大鏡を搭載したタイプでは、特に年配者が普段から身に付けておいて、いつでも、拡大鏡を便利に使用出来、空いた時間に気軽に握力トレーニングを行う事が出来ます。年配の方が、普段から日常的に手指や、掌を動かしトレーニングする事は、適度な運動になり、非常に健康に良く、痴呆症予防にもなります。このように本品は、シリンダー部にボールペン、シャープペン、拡大鏡、ドライバー、鏡、ツボ押し棒、ライトなど、様々な用途に応じた種々の物を搭載した数種類が有ります。また、一部それらが交換可能な物も有ります。その為、従来、日常的に身に付ける事が無かった握力トレーニング器具ではあるが、本品は、便利で実用的な利点が有る事が理由となり、身に付けることに対する違和感が無く、日常的に携帯し、空いた時間に日常的に何時、何処でも気軽に握力トレーニングを行うことが出来、適度な運動になり、また、ストレス解消にもなり、指圧効果も得られる、非常に健康的な、調整機能付きの小型の多機能握力トレーニング器具であります。
【図面の簡単な説明】
【図１】この発明に係る多機能握力トレーニング器具のボールペン搭載状態の側面断面図である。
【図２】この発明に係る多機能握力トレーニング器具のボールペン搭載状態の上面図である。
【図３】この発明に係る多機能握力トレーニング器具のボールペン搭載状態の底面図である。
【図４】この発明に係る多機能握力トレーニング器具のボールペン搭載状態の斜視図である。
【図５】この発明に係る多機能握力トレーニング器具の保持使用方法一例図である。
【図６】この発明に係る多機能握力トレーニング器具の保持使用方法一例図である。
【図７】この発明に係る多機能握力トレーニング器具のアタッチメントの側面図である。
【図８】この発明に係る多機能握力トレーニング器具の拡大鏡搭載状態の側面図である。
【符号の説明】
１    ボールペンコア
２    ボールペンケースキャップ
３    ボールペンインクケースストッパー
４    ボールペンケース
５    ボールペンインクケース
６    シリンダー
７    スライドシャフト
８    フィンガーフック
９    スプリング
１０  スプリングアジャスト部
１１  スパンアジャスター
１２  ストッパー
１３  ボールペンキャップ
１４  フッカー
１５  フィンガーフックアタッチメント
１６  強化スプリング
１７  拡大鏡
１８  ヒンジ
【図１】
2004290250.tif 000003
【図２】
2004290250.tif 000004
【図３】
2004290250.tif 000005
【図４】
2004290250.tif 000006
【図５】
2004290250.tif 000007
【図６】
2004290250.tif 000008
【図７】
2004290250.tif 000009
【図８】
2004290250.tif 000010